(57)【要約】      （修正有）【課題】空中伸張状態における測定テープに生じる捩れを低減し、空中伸張状態での測定を安定して行うことができ、用途範囲が広く、しかも測定目盛りの読み取りを容易かつ正確に行うことができる巻尺の測定テープを提供する。【解決手段】測定テープが、通常状態において幅方向に湾曲する巻尺の測定テープであって、測定テープ１における本体湾曲部２の幅方向のすくなくとも一側に、本体湾曲部２の湾曲方向に対し反対方向に湾曲する逆湾曲部３を形成し、測定テープを空中に伸張した状態であっても測定テープの捩れが生じ難く安定した測定を行うことができるようにした。【選択図】図１
2008268142.tif 000002
【特許請求の範囲】
【請求項１】
測定テープが、通常状態において幅方向に湾曲する巻尺の測定テープであって、測定テープにおける幅方向の少なくとも一側に、同測定テープ本体の湾曲方向に対し反対方向に湾曲する逆湾曲部を形成してなる巻尺の測定テープ。
【請求項２】
前記逆湾曲部を、測定テープ本体の湾曲部に対し幅の小なるものにしてなる請求項１に記載の巻尺の測定テープ。
【請求項３】
前記逆湾曲部を、測定テープにおける幅方向の両側に形成してなる請求項１に記載の巻尺の測定テープ。
【請求項４】
前記逆湾曲部の外側辺部に、測定テープを、同測定テープ本体の湾曲面が下側に凸となるように被測定物上に当接せしめると、同被測定物の上に接近する方向に延びる延設部を形成してなる請求項１に記載の巻尺の測定テープ。
【請求項５】
前記測定テープ本体の湾曲部を、断面略Ｕ字状に形成してなる請求項１に記載の巻尺の測定テープ。
【請求項６】
前記測定テープ本体の湾曲部を、断面略Ｖ字状に形成してなる請求項１に記載の巻尺の測定テープ。
【請求項７】
前記測定テープを、金属素材で構成してなる請求項１に記載の巻尺の測定テープ。
【請求項８】
前記測定テープを、樹脂素材で構成してなる請求項１に記載の巻尺の測定テープ。
【請求項９】
前記測定テープを、繊維素材の織物で構成してなる請求項１に記載の巻尺の測定テープ。
【請求項１０】
前記織物を、アラミド繊維を織り上げたもので構成してなる請求項９に記載の巻尺の測定テープ。
【請求項１１】
前記織物を、アラミド繊維とガラス繊維を織り上げたもので構成してなる請求項９に記載の巻尺の測定テープ。
【発明の詳細な説明】
【技術分野】
【０００１】
本発明は、幅方向に湾曲する巻尺の測定テープに関し、より詳しくは、空中伸張状態における測定テープに生じる捩れを低減できるようにした巻尺の測定テープに関する。
【背景技術】
【０００２】
従来、巻尺の測定テープは、図８に示すように、ケース（図示省略）から測定テープ９を引き出すと測定テープ９が幅方向に湾曲（湾曲部１０）して、同測定テープ９を空中に伸張した際に測定テープ９がある程度の長さまで垂れ下がらないようになっている。
【０００３】
これにより、例えば、引き出した測定テープを直立させ、床等の低い位置にある被測定点と天井等の高い位置にある被測定点との間の測定も、測定テープを空中にある程度の長さまで伸張できるので、測定を容易に行うことができる。
【０００４】
また、測定テープの幅方向断面において横Ｓ字状の波形に湾曲させて、空中伸張（直立）性を高めたものも提案されている（例えば、特許文献１参照）。
【０００５】
しかしながら、前述する測定テープを略水平方向や略垂直方向に空中伸張させた際、同測定テープが、測定テープの自重やテープ先端に備えるフックの重さによって測定テープの幅方向に捩れることがあった。
【０００６】
また、上述した測定テープの捩れは、測定テープを空中に伸張させればさせるほど生じ易く、捩れが生じた測定テープをさらに伸張させると捩れた部位から測定テープが折れ曲がってしまい、測定を続けることができない。
そして、前記捩れは測定テープの幅方向断面において横Ｓ字状の波形に湾曲形成させても解消されるものではなかった。
【０００７】
【特許文献１】実開昭５６−６５４０２号公報（第１頁、第１〜２図）
【発明の開示】
【発明が解決しようとする課題】
【０００８】
本発明は、空中伸張状態における測定テープに生じる捩れを低減し、空中伸張状態での測定を安定して行うことができる巻尺の測定テープを提供できるようにした。
【課題を解決するための手段】
【０００９】
上述した課題を解決するために、本発明に係る巻尺の測定テープは、測定テープが、通常状態において幅方向に湾曲する巻尺の測定テープであって、測定テープにおける幅方向の少なくとも一側に、同測定テープ本体の湾曲方向に対し反対方向に湾曲する逆湾曲部を形成したものとしてある。
【００１０】
また前記逆湾曲部を、測定テープ本体の湾曲部に対し幅の小なるものに構成したものとしてある。
【００１１】
さらに前記逆湾曲部を、測定テープにおける幅方向の両側に形成したものとしてある。
【００１２】
また、前記逆湾曲部の外側辺部に、測定テープを、同測定テープ本体の湾曲面が下側に凸となるように被測定物上に当接せしめると、同被測定物の上に接近する方向に延びる延設部を形成した構成のものとしてある。
【００１３】
さらに、前記測定テープ本体の湾曲部を、断面略Ｕ字状あるいは断面略Ｖ字状に形成したものとしてある。
【００１４】
また前記測定テープを、金属素材、樹脂素材、あるいは繊維素材の織物で構成したものとしてある。
【００１５】
さらに前記織物を、アラミド繊維、あるいはアラミド繊維とガラス繊維を織り上げたもので構成したものとしてある。
【発明の効果】
【００１６】
本発明の巻尺の測定テープによれば、測定テープにおける幅方向の一側または両側に測定テープ本体の湾曲部に対し反対方向に湾曲する逆湾曲部を形成しているので、同逆湾曲部によって測定テープの側辺部が長手方向全長に亘って補強され、同両側端部の捩れに対する抗力が大になり、したがって、測定テープを大に空中に伸張した場合も捩れが生じ難く、安定した測定を行うことができる。
【００１７】
また逆湾曲部を、測定テープ本体の湾曲部に対し幅の小なるものにすることにより、測定テープの側辺部をより一層剛性の高いものとすることができるので、捩れに対する抗力も増し測定テープの空中への伸張長さも延長できる。
特に測定テープの素材を、金属や樹脂製のものに比して剛性の小なる繊維素材の織物にて構成する場合に有効である。
【００１８】
そして、測定テープにおける逆湾曲部の側辺部に延設部を形成するものは、測定テープを被測定物に当接させた状態においてこの延設部が被測定物の上面に近接し、したがって測定テープにおける側辺部寄りに付されている測定目盛りが被測定物に近づき、被測定物の測定点に対する寸法の読み取り誤差を低減できる。
【００１９】
また前述のように、測定テープを、測定テープ本体の湾曲面を上にして被測定物の上に置いて寸法測定した後、さらに続けて被測定物の上面に線を引くような場合は、前記逆湾曲部の形成によって測定テープの側辺部が補強されているので、同測定テープの幅方向側端部に鉛筆等の線引き具を強く当接させても同側端部が変形することがなく、また、同幅方向側端部が線引きを行う部材の上に接近しているので線引きを容易に行うことができ、したがって測定テープを線引き定規としても用いることができる。
【発明を実施するための最良の形態】
【００２０】
以下、本発明の巻尺の測定テープを添付図面に基づいて説明する。
測定テープ１は、図１に示すように、本体湾曲部２の両側辺すなわち測定テープ１における幅方向の両側に逆湾曲部３を備えており、本体湾曲部と逆湾曲部は互いに湾曲方向が逆向きとなるように構成してある。
【００２１】
そして、測定テープ１は、金属素材、樹脂素材、または繊維素材の織物で構成したものとしてあり、繊維素材の織物で構成する場合には、アラミド繊維、あるいはアラミド繊維とガラス繊維から織り上げたもので構成するのが、靭性、伸縮誤差の低減等の測定精度向上の目的から好適である。
なお、織物には上述したアラミド繊維やこのアラミド繊維とガラス繊維を織り上げたものの他にもナイロン、エポキシ等の繊維から形成する場合もある。
【００２２】
また本実施例では、図２示すように、測定テープ１における本体湾曲部２の両側に形成している逆湾曲部３の幅を本体湾曲部２よりも小にしているが、測定テープ１が使用される環境に合わせて、本体湾曲部２と逆湾曲部３とをほぼ同じ幅に構成したり、あるいは逆湾曲部３を本体湾曲部２よりも大なる幅に構成したりする場合もある。
【００２３】
さらに、本体湾曲部２と逆湾曲部３との曲率においても、測定テープ１が使用される環境に合わせて、逆湾曲部３を本体湾曲部２よりも小あるいは大の曲率にしたり、本体湾曲部２と逆湾曲部３との曲率をほぼ同じ曲率に設定したりする場合もある。
【００２４】
さらには、図３（ａ）に示すように、測定テープ１における本体湾曲部２の両側に形成している逆湾曲部３の外側辺に延設部５を形成し、同延設部５の遊端部が被測定物６に接近する幅とし、同遊端部に付された測定目盛り４が被測定物に近づいて目盛りの読み取り精度の向上を図ることができるようにする場合もある。
【００２５】
また図３（ｂ）に示すように、前述する図３（ａ）の逆湾曲部３に形成している延設部５の遊端部を被測定物６にほぼ接するまで、あるいは接するまで延長して、測定テープ１による寸法測定の後さらに続けて被測定物６に線を引くような場合に、同測定テープ１を線引き定規として使用できるようにする場合もある。
【００２６】
そして、測定テープ１における他の形態例を図４から図６に示すと、図４に示す測定テープ１は、その断面における本体湾曲部２の中央部分に直線部７を設けて、本体湾曲部２を断面略Ｕ字状にしたものであり、かくすると測定時において直線部７が被測定物に安定して当接し、測定を容易に行えるというメリットがある。
【００２７】
また図５示す測定テープ１は、その断面における本体湾曲部２と左右の逆湾曲部３との間にそれぞれ直線部７を設けて、本体湾曲部２を断面略Ｖ字状にしたものであり、かくすると測定時において測定目盛りの大部分を直線部７によって形成される平坦面に表示することができて目盛りの読み取りをより容易にしたり、一方の逆湾曲部の側辺を被測定物の上面に接触させやすくすることができたりという利点がある。
【００２８】
また図６示す測定テープ１は、本体湾曲部２の両側に形成する逆湾曲部３の湾曲範囲を小にしたもので、測定テープ１の幅方向断面を略ひの字状にしたものであり、かくすると巻尺本体（図示省略）に測定テープを巻き取る際に測定テープを平坦に展ばして収容することが比較的容易になり、巻尺本体のコンパクト化を期することができる。
【００２９】
図７は、従来の測定テープと本発明の測定テープとの捩れ比較試験の試験方法を示す図であり、図７（ａ）には従来の測定テープ９を示し、図７（ｂ）には本発明の測定テープ１を示していて、（ａ）、（ｂ）の各左図は測定テープを幅亘りの断面で示し、同各右図はその右側方から示す図である。
【００３０】
試験は、図７（ａ）（ｂ）における左図のように、測定テープの湾曲部１０（測定テープ９）、本体湾曲部２（本発明の測定テープ１）を上にし、かつ４５度傾けた状態で机８の上にセットする。
【００３１】
次いで、図７（ａ）（ｂ）における右図のように、机８の上縁部から従来の測定テープ９、本発明の測定テープ１を空中に伸張させて、図７中のＡ（捩れ）方向への捩れが発生した時点における測定テープ１の空中伸張長さを比較するものである。
【００３２】
上述のように測定テープを４５度傾けて行うため、図７中のＡ（捩れ）方向への捩れが通常使用の状態よりも早く発生する。また捩れは、図７中のＢ（捩れ発生部位）で示すように机８の縁部で発生し、この位置は、巻尺使用時における測定テープがケースから出た位置である。
【００３３】
比較試験の結果、従来の測定テープ９は、空中伸張長さが約８５ｃｍに達した時点でＡ（捩れ）方向への捩れが発生し、本発明の測定テープ１は、空中伸張長さが約１８０ｃｍに達した時点でＡ（捩れ）方向への捩れが発生した。
【００３４】
なお、上記試験に供した測定テープは本発明品、従来品ともに、測定テープの幅が２５ｍｍ、厚さが０．２ｍｍ、テープ素材が繊維素材からなる織物テープで、同織物テープは、縦糸にアラミド繊維、横糸にガラス繊維を用いて織り上げたものとしてある。
【００３５】
また、比較試験に用いた測定テープの幅方向断面形状は、本発明品は図６に示す形状のもので、従来品は図８に示す形状のものを用いている。
【００３６】
前記結果から明らかなように、本発明の測定テープは、捩れが発生するまでの空中伸張長さを従来の測定テープよりも格段に長くすることができ、したがって本発明の測定テープは、数値上からも捩れが生じ難いことが立証された。
【図面の簡単な説明】
【００３７】
【図１】本発明に係る巻尺の測定テープの一例を示す斜視図。
【図２】図１中に示す測定テープの幅方向（Ａ−Ａ部分）の断面図。
【図３】逆湾曲部における他の例を示す測定テープ幅方向の断面図。
【図４】測定テープのさらに他の例を示す測定テープ幅方向の断面図。
【図５】測定テープのさらに他の例を示す測定テープ幅方向の断面図。
【図６】測定テープのさらに他の形態例を示す測定テープ幅方向の断面図。
【図７】従来の測定テープと本発明の測定テープとの捩れ比較試験の試験方法を示す図。
【図８】従来の測定テープを示す測定テープ幅方向の断面図。
【符号の説明】
【００３８】
１  測定テープ
２  本体湾曲部
３  逆湾曲部
４  測定目盛り
５  延設部
６  被測定物
７  直線部
８  机
９  測定テープ
１０  湾曲部
【図１】
2008268142.tif 000003
【図２】
2008268142.tif 000004
【図３】
2008268142.tif 000005
【図４】
2008268142.tif 000006
【図５】
2008268142.tif 000007
【図６】
2008268142.tif 000008
【図７】
2008268142.tif 000009
【図８】
2008268142.tif 000010